(57)【要約】【課題】  物体を固定しているボルト又は構造物に取り付けられた物体の状態を非接触でありながら常時監視し、ボルトが破断した場合又は取り付けられた物体が脱落した場合に即座に検知し警報を発する監視方法を提供する。【解決手段】  ボルト頭部（１）に永久磁石（２）を接着し、このボルト（３）を用いて物体（４）を構造物（５）に固定し、ボルト底部（６）で測定装置（７）により磁界を測定する。  ボルト頭部（１）が破断して脱落した場合、接着された永久磁石（２）も同時に脱落するため、ボルト底部（６）の磁界はなくなり、磁界の変化が生じる。測定装置（７）により磁界の変化を検知した場合には即座に警告を発する装置（８）によりボルトの破断を監視することを特徴とする。【選択図】図１
2011164080.tif 000002
【特許請求の範囲】
【請求項１】
（イ）ボルトの底部側又は頭部側に磁界が生じるように
（ロ）ボルトの頭部又は底部に永久磁石を接着する。
（ハ）以上の構成よりなるボルト底部側又は頭部側の磁界の変化を利用することにより、ボルトが破断した場合に即座に検知できる監視方法。
【請求項２】
（イ）構造物を挟んで反対側に磁界が生じるように
（ロ）構造物に取り付けられた物体に磁石を取り付ける。
（ハ）以上の構成よりなる物体による構造物反対側の磁界の変化を利用することにより、物体の脱落又は大きな変形が生じた場合に即座に検知できる監視方法。
【発明の詳細な説明】
【技術分野】
【０００１】  この発明は底部又は頭部に磁界を有するボルトを用いて又は構造物反対側に磁界を生じさせる取り付けられた物体を用いてその磁界の変化を利用して、ボルトに破断が生じた場合又は物体が脱落した場合、これを非接触でありながら、即座に検知する監視方法に関するものである。
【背景技術】
【０００２】  従来、ボルトが破断した場合、又は構造物を挟んで反対側に取り付けられた物体が脱落した場合、それを非接触でかつ即座に検知する有効な手段がなかった。特に構造物の内部で使用しているボルト又は取り付けられた物体については、その構造物を開放してそれらの状態を目視又は非破壊検査により調査するしか手段がなく、こういったボルトの破断が生じた場合又は取り付けられた物体が脱落した場合、それらを常時監視する方法がなかった。
【発明の開示】
【発明が解決しようとする課題】
【０００３】  ボルトが破断した場合又は構造物を挟んで反対側に取り付けられた物体が脱落した場合、それを放置しておくと大きな事故につながる恐れがある。このようなケースに起因する事故を未然に防止するにはボルト又は物体の状態を常時監視し、ボルトの破断又は物体の脱落が生じた場合には即座にそれを感知し、警告を発する必要がある。【０００４】  今までのボルト又は取り付けられた物体の常時監視手段として、直接又は間接的に視覚により確認するか若しくは振動などを利用して非破壊的に確認する方法などが用いられるが、そのための設備が大掛かりになること、構造物内部などでは監視装置の設置が出来ないなどの問題があった。
本発明は、以上のような欠点をなくすためになされたものである。
【課題を解決するための手段】
【０００５】  本発明はボルト（１）に永久磁石（２）を接着し、このボルトを用いて物体（３）を構造物（４）に固定し、その付近で測定装置（５）により磁界の変化を測定し、磁界の変化が生じた場合には即座に警告を発する装置（６）によりボルトの破断などを常時監視する方法である。【０００６】  本発明は構造物（１１）の反対側に磁界が生じるように永久磁石（１２）を取り付けられた物体（１３）を構造物（１１）に取り付け、構造物の反対側で測定装置（１４）により磁界の変化を測定し、大きな磁界の変化が生じた場合には即座に警告を発する装置（１５）によりボルトの破断などを常時監視する方法である。
【発明の効果】
【０００７】  本発明により、監視するボルト又は物体と非接触でありながら常時監視することが可能となり、更に監視するボルト又は物体が構造物などを挟んでいる場合でもその構造物の反対側から常時監視することが出来るようになる。なおかつ、構造物取り付け側には特別な装置を設置する必要はなく、構造物を挟んだ反対側に測定装置を設置することで対象物の常時監視が可能となる。
【発明を実施するための最良の形態】
【０００８】  以下、本発明を実施するための最良の形態について説明する。
ボルト頭部（２１）に永久磁石（２２）を接着し、このボルト（２３）を用いて物体（２４）を構造物（２５）に固定し、ボルト底部（２６）で測定装置（２７）により磁界を測定する。このときボルトが透磁性の場合、ボルト底部（２６）には強い磁界が生じており、ボルトが非透磁性の場合にはボルト底部（２６）には弱い磁界が生じている。
ボルト頭部（２１）が破断して脱落した場合、接着された永久磁石（２２）も同時に脱落するため、ボルト底部（２６）の磁界はなくなり、磁界の変化が生じる。測定装置（２７）により磁界の変化を検知した場合には即座に警告を発する装置（２８）によりボルトの破断を監視する。【０００９】  以下、本発明を実施するための最良の形態について説明する。
ボルト底部（３１）に永久磁石（３２）を接着し、このボルト（３３）とナット（３４）を用いて物体（３８）を構造物（３９）に固定し、ボルト頭部（３５）で測定装置（３６）により磁界を測定する。このときボルトが透磁性の場合、ボルト頭部（３５）には強い磁界が生じており、ボルトが非透磁性の場合にはボルト頭部（３５）には弱い磁界が生じている。
ボルト（３３）がナット（３４）部で破断して脱落した場合、接着された永久磁石（３２）も同時に脱落するため、ボルト頭部（３５）の磁界はなくなり、磁界の変化が生じる。測定装置（３６）により磁界の変化を検知した場合には即座に警告を発する装置（３７）によりボルト（３３）の破断を監視する。【００１０】  以下、本発明を実施するための最良の形態について説明する。
構造物（４１）の反対側に磁界が生じるように永久磁石（４２）を取り付けられた物体（４３）を構造物（４１）に取り付け、構造物（４１）の反対側で測定装置（４４）により磁界を測定する。このとき構造物（４１）又は物体（４３）が透磁性の場合、構造物の反対側には微弱な磁界が生じており、構造物（４１）及び物体が非透磁性の場合には構造物の反対側には弱い磁界が生じている。
物体（４３）が脱落した場合、取り付けられた永久磁石（４２）も同時に脱落するため、構造物反対側の磁界はなくなり、磁界の変化が生じる。測定装置（４４）により磁界の変化を検知した場合には即座に警告を発する装置（４５）により物体の脱落を監視する。【００１１】  この発明を利用することにより、プラント設備などの内部のボルト又は物体の状態を外部から常時監視することが可能となる。【００１２】  この発明を利用することにより、橋梁などに使用される多数のボルトの監視を容易に行うことが可能となる。【００１３】  この発明において使用する測定装置は、強い磁界が生じている場合には、磁界を利用したスイッチを用いることが可能である。弱い磁界又は微弱な磁界が生じている場合には、ガウスメーター又は方位磁石などを用いる。
【図面の簡単な説明】
【００１４】
【図１】  断面図
【図２】  断面図
【図３】  断面図（ボルト健全時）
【図４】  断面図（ボルト破断時）
【図５】  断面図（ボルト健全時）
【図６】  断面図（ボルト破断時）
【図７】  断面図（物体健全時）
【図８】  断面図（物体脱落時）
【符号の説明】
【００１５】  １  ボルト
２  永久磁石
３  物体
４  構造物
５  測定装置
６  警告を発する装置
１１  構造物
１２  永久磁石
１３  物体
１４  測定装置
１５  警告を発する装置
２１  ボルト頭部
２２  永久磁石
２３  ボルト
２４  物体
２５  構造物
２６  ボルト底部
２７  測定装置
２８  警告を発する装置
３１  ボルト底部
３２  永久磁石
３３  ボルト
３４  ナット
３５  ボルト頭部
３６  測定装置
３７  警告を発する装置
４１  構造物
４２  永久磁石
４３  物体
４４  測定装置
４５  警告を発する装置
【図１】
2011164080.tif 000003
【図２】
2011164080.tif 000004
【図３】
2011164080.tif 000005
【図４】
2011164080.tif 000006
【図５】
2011164080.tif 000007
【図６】
2011164080.tif 000008
【図７】
2011164080.tif 000009
【図８】
2011164080.tif 000010